(57)【特許請求の範囲】
【請求項１】
ホスト機器とオーディオ機器とが所定のインタフェースを介して接続され、ホスト機器での音量値に応じて生成されたオーディオデータが、オーディオ機器での音量値に応じた楽曲音として出力されるオーディオシステムであって、
ホスト機器に設定されている音量値を取得する第１の取得手段と、
オーディオ機器に設定されている音量値を取得する第２の取得手段と、
前記第１及び第２の取得手段により取得されたそれぞれの音量値に従って、少なくとも、オーディオ機器に設定されている音量値を、十分小さい音量としてオーディオ機器において予め定められた初期値に変更する音量値変更手段と、
を備えることを特徴とするオーディオシステム。
【請求項２】
ホスト機器とオーディオ機器とが所定のインタフェースを介して接続され、ホスト機器での音量値に応じて生成されたオーディオデータが、オーディオ機器での音量値に応じた楽曲音として出力されるオーディオシステムであって、
ホスト機器は、
自己に設定されている音量値を取得する第１の取得手段と、
オーディオ機器から送られた音量値を取得する第２の取得手段と、
前記第１及び第２の取得手段により取得されたそれぞれの音量値に従って、音量値の変更をオーディオ機器に指示する指示手段と、を備え、
オーディオ機器は、
自己に設定されている音量値を取得してホスト機器に送信する送信手段と、
前記指示手段による指示に応じて、自己に設定されている音量値を、十分小さい音量として自己に予め定められた初期値に変更する変更手段と、を備える、
ことを特徴とするオーディオシステム。
【請求項３】
ホスト機器とオーディオ機器とが所定のインタフェースを介して接続され、ホスト機器での音量値に応じて生成されたオーディオデータが、オーディオ機器での音量値に応じた楽曲音として出力されるオーディオシステムであって、
ホスト機器は、
自己に設定されている音量値を取得する第１の取得手段と、
オーディオ機器に設定されている音量値の送信を依頼する依頼手段と、
前記依頼手段による依頼に応じてオーディオ機器から送られた音量値を受信する音量値受信手段と、
前記第１の取得手段により取得された音量値及び、前記音量値受信手段により受信された音量値が予め定められた基準値を超えている場合に、音量値の変更をオーディオ機器に指示する指示手段と、
自己に設定されている音量値に従ったオーディオデータを生成する生成手段と、
前記生成手段が生成したオーディオデータをオーディオ機器に送信するオーディオデータ送信手段と、を備え、
オーディオ機器は、
前記依頼手段による依頼に応じて、自己に設定されている音量値を取得する第２の取得手段と、
前記第２の取得手段により取得された音量値をホスト機器に送信する音量値送信手段と、
前記指示手段による指示に応じて、自己に設定されている音量値を、十分小さい音量として自己に予め定められた初期値に変更する変更手段と、
前記オーディオデータ送信手段により送られたオーディオデータをオーディオ信号に変換する変換手段と、
前記変換手段により変換されたオーディオ信号を、自己に設定されている音量値に従った楽曲音として出力する楽曲音出力手段と、を備える、
ことを特徴とするオーディオシステム。
【請求項４】
ホスト機器とオーディオ機器とが所定のインタフェースを介して接続され、ホスト機器での音量値に応じて生成されたオーディオデータが、オーディオ機器での音量値に応じた楽曲音として出力されるオーディオシステムにおける音量調節方法であって、
ホスト機器に設定されている音量値を取得する第１の取得ステップと、
オーディオ機器に設定されている音量値を取得する第２の取得ステップと、
前記第１及び第２の取得ステップにて取得されたそれぞれの音量値に従って、少なくとも、オーディオ機器に設定されている音量値を、十分小さい音量としてオーディオ機器において予め定められた初期値に変更する音量値変更ステップと、
を備えることを特徴とする音量調節方法。
【発明の詳細な説明】
【０００１】
【発明の属する技術分野】
この発明は、ホスト機器とオーディオ機器とがＵＳＢ等のインタフェースを介して接続されたオーディオシステムに関し、特に、オーディオ機器にて出力される楽曲音の音量を適切に調節することのできるオーディオシステム及び音量調節方法に関する。
【０００２】
【従来の技術】
従来より、パーソナルコンピュータ等のホスト機器に接続されて使用されるプリンタやモデム等の電子機器が知られている。このような電子機器は、例えば、ＲＳ２３２Ｃやセントロニクス等のインタフェースを備えており、所定のケーブルを介してホスト機器と接続され、ホスト機器からの制御等に従って動作する。
最近では、ホスト機器に採用されたインタフェース規格としてＵＳＢ（Universal Serial Bus）等が注目されている。このＵＳＢは、ホスト機器において導入されている一般的なＯＳ（Operating System）にてサポートされており、電子機器の電源を入れたままで接続できるホット・プラグ・インや、電子機器を使用するための設定を自動的に行えるプラグ・アンド・プレイが特徴となっている。
【０００３】
このＵＳＢは、マルチメディアデバイスに分類される電子機器を想定した「アイソクロナス（Isochronous）転送」をサポートしており、例えば、ホスト機器からオーディオ機器（電子機器）に向けて、リアルタイムにオーディオデータを送信することができる。この際、ＵＳＢにより送られるオーディオデータがデジタルデータであるため、ノイズ等の影響を受けにくく、オーディオ機器にて高音質の楽曲音を出力することができる。
【０００４】
図３に、このようなＵＳＢインタフェースを使用したオーディオシステムの模式図を示す。図示するように、オーディオシステムは、ホスト機器１０１と、オーディオ機器１０２とがＵＳＢケーブル１０３を介して接続されて構成される。
ホスト機器１０１は、所定のパーソナルコンピュータ等からなり、実行されるオーディオアプリケーション（ソフトウエア）等に従って、ＵＳＢケーブル１０３を介してオーディオ機器１０２に向けてオーディオデータ等を送信する。
一方、オーディオ機器１０２は、ＵＳＢインタフェースを備えた電子機器であり、ホスト機器１０１から送られるオーディオデータ等を順次受信し、受信したオーディオデータをオーディオ信号に変換した後に、スピーカ等を介して楽曲音として出力する。
【０００５】
以下、このような従来のオーディオシステムの動作について図４を参照して説明する。図４は、ホスト機器１０１等において実行される楽曲データ再生処理を説明するためのフローチャートである。
まず、ホスト機器１０１は、利用者等の指示に従って所定のオーディオアプリケーションを起動する（ステップＳ１０１）。
ホスト機器１０１は、オーディオアプリケーションにおいて、再生対象となる楽曲データの一覧をディスプレイ等に表示し、キーボートやマウス等を介して任意の楽曲データの再生指示を取得する（ステップＳ１０２）。
【０００６】
ホスト機器１０１は、現在設定されている音量値に従って楽曲データを再生し、再生により得られたオーディオデータを、ＵＳＢケーブル１０３を介してオーディオ機器１０２に供給する（ステップＳ１０３）。
一方、オーディオ機器１０２は、ホスト機器１０１から送られたオーディオデータを受信すると、受信したオーディオデータをオーディオ信号に変換した後に、スピーカ等を介して楽曲音として出力する（ステップＳ１０４）。なおこの際、オーディオ機器１０２は、自己に現在設定されている音量値に従った楽曲音を出力する。
【０００７】
このように、オーディオシステムは、ホスト機器１０１にて楽曲データを再生することにより得られたオーディオデータをＵＳＢケーブル１０３を介してオーディオ機器１０２に供給し、オーディオ機器１０２にて高品質の楽曲音を出力することができる。
【０００８】
【発明が解決しようとする課題】
しかしながら、上述するような従来のオーディオシステムにおいて、ホスト機器１０１及びオーディオ機器１０２にてそれぞれ設定された音量値が適切でないと、利用者が意図しない大音量の楽曲音がオーディオ機器１０２より出力されてしまう場合があった。
具体的には、ホスト機器１０１の音量値が一定値よりも大きく設定され、かつ、オーディオ機器１０２の音量値も一定値よりも大きく設定されている場合に、オーディオ機器１０２にて大音量の楽曲音が出力されてしまう。すなわち、ホスト機器１０１にて大きめの音量のオーディオデータが生成され、生成されたオーディオデータがオーディオ機器１０２に供給される。そして、オーディオ機器１０２にて、更に音量が高められるため、結果的としてオーディオ機器１０２のスピーカ等から大音量の楽曲音が出力されてしまう。
【０００９】
このように、従来のオーディオシステムでは、ホスト機器１０１及びオーディオ機器１０２の音量設定が不適切であっても、無条件に設定された音量に従ってオーディオデータを生成し、そして楽曲音を出力してしまうため、楽曲音が利用者が意図しない大音量にて出力されてしまうという問題があった。
【００１０】
この発明は、上記実状に鑑みてなされたもので、オーディオ機器から出力される楽曲音の音量を適切に調節することのできるオーディオシステム及び音量調節方法を提供することを目的とする。
【００１１】
【課題を解決するための手段】
上記目的を達成するため、本発明の第１の観点に係るオーディオシステムは、
ホスト機器とオーディオ機器とが所定のインタフェースを介して接続され、ホスト機器での音量値に応じて生成されたオーディオデータが、オーディオ機器での音量値に応じた楽曲音として出力されるオーディオシステムであって、
ホスト機器に設定されている音量値を取得する第１の取得手段と、
オーディオ機器に設定されている音量値を取得する第２の取得手段と、
前記第１及び第２の取得手段により取得されたそれぞれの音量値に従って、少なくとも、オーディオ機器に設定されている音量値を、十分小さい音量としてオーディオ機器において予め定められた初期値に変更する音量値変更手段と、
を備えることを特徴とする。
【００１３】
上記目的を達成するため、本発明の第２の観点に係るオーディオシステムは、
ホスト機器とオーディオ機器とが所定のインタフェースを介して接続され、ホスト機器での音量値に応じて生成されたオーディオデータが、オーディオ機器での音量値に応じた楽曲音として出力されるオーディオシステムであって、
ホスト機器は、
自己に設定されている音量値を取得する第１の取得手段と、
オーディオ機器から送られた音量値を取得する第２の取得手段と、
前記第１及び第２の取得手段により取得されたそれぞれの音量値に従って、音量値の変更をオーディオ機器に指示する指示手段と、を備え、
オーディオ機器は、
自己に設定されている音量値を取得してホスト機器に送信する送信手段と、
前記指示手段による指示に応じて、自己に設定されている音量値を、十分小さい音量として自己に予め定められた初期値に変更する変更手段と、を備える、
ことを特徴とする。
【００１５】
上記目的を達成するため、本発明の第３の観点に係るオーディオシステムは、
ホスト機器とオーディオ機器とが所定のインタフェースを介して接続され、ホスト機器での音量値に応じて生成されたオーディオデータが、オーディオ機器での音量値に応じた楽曲音として出力されるオーディオシステムであって、
ホスト機器は、
自己に設定されている音量値を取得する第１の取得手段と、
オーディオ機器に設定されている音量値の送信を依頼する依頼手段と、
前記依頼手段による依頼に応じてオーディオ機器から送られた音量値を受信する音量値受信手段と、
前記第１の取得手段により取得された音量値及び、前記音量値受信手段により受信された音量値が予め定められた基準値を超えている場合に、音量値の変更をオーディオ機器に指示する指示手段と、
自己に設定されている音量値に従ったオーディオデータを生成する生成手段と、
前記生成手段が生成したオーディオデータをオーディオ機器に送信するオーディオデータ送信手段と、を備え、
オーディオ機器は、
前記依頼手段による依頼に応じて、自己に設定されている音量値を取得する第２の取得手段と、
前記第２の取得手段により取得された音量値をホスト機器に送信する音量値送信手段と、
前記指示手段による指示に応じて、自己に設定されている音量値を、十分小さい音量として自己に予め定められた初期値に変更する変更手段と、
前記オーディオデータ送信手段により送られたオーディオデータをオーディオ信号に変換する変換手段と、
前記変換手段により変換されたオーディオ信号を、自己に設定されている音量値に従った楽曲音として出力する楽曲音出力手段と、を備える、
ことを特徴とする。
【００１７】
上記目的を達成するため、本発明の第４の観点に係る音量調節方法は、
ホスト機器とオーディオ機器とが所定のインタフェースを介して接続され、ホスト機器での音量値に応じて生成されたオーディオデータが、オーディオ機器での音量値に応じた楽曲音として出力されるオーディオシステムにおける音量調節方法であって、
ホスト機器に設定されている音量値を取得する第１の取得ステップと、
オーディオ機器に設定されている音量値を取得する第２の取得ステップと、
前記第１及び第２の取得ステップにて取得されたそれぞれの音量値に従って、少なくとも、オーディオ機器に設定されている音量値を、十分小さい音量としてオーディオ機器において予め定められた初期値に変更する音量値変更ステップと、
を備えることを特徴とする。
【００１９】
【発明の実施の形態】
本発明の実施の形態にかかるオーディオシステムについて、以下図面を参照して説明する。
【００２０】
図１は、この発明の実施の形態に適用されるオーディオシステムの構成の一例を示すブロック図である。図示するように、オーディオシステムは、ホスト機器１と、オーディオ機器２とが、ＵＳＢケーブル３を介して接続されて構成される。
【００２１】
ホスト機器１は、所定のパーソナルコンピュータ等からなり、メモリ１１と、ハードディスク１２と、キーボード／マウス１３と、ＣＰＵ１４と、グラフィックコントローラ１５と、ディスプレイ１６と、ＵＳＢ端子１７と、ＵＳＢコントローラ１８とを含んで構成される。
【００２２】
メモリ１１は、ＲＯＭ（Read Only Memory）及びＲＡＭ（Random Access Memory）等からなり、例えば、キーボード／マウス１３を介して利用者により設定された音量値等を記憶する。
【００２３】
ハードディスク１２は、磁気ディスクユニット等からなり、ＯＳ（Operating System）等の基本ソフトウェア及び、後述するオーディオデータ出力処理を含むアプリケーションソフトウェアを記憶する。
また、ハードディスク１２は、再生対象となる所定フォーマットの音楽ファイル（楽曲データ）を複数記憶する。
【００２４】
キーボード／マウス１３は、利用者に操作される入力デバイスであり、利用者の操作に従った指示情報をＣＰＵ１４に供給する。
【００２５】
ＣＰＵ（Central Processing Unit）１４は、ホスト機器１全体を制御するための処理装置である。
具体的にＣＰＵ１４は、ハードディスク１２に記憶されている任意の楽曲データを再生し、メモリ１１に記憶されている音量値（設定音量値）に従ったオーディオデータを生成する。ＣＰＵ１４は、生成したオーディオデータをＵＳＢコントローラ１８に供給することにより、ＵＳＢケーブル３を介してオーディオ機器２にオーディオデータを送信する。
また、ＣＰＵ１４は、オーディオ機器２にて現在設定されている音量値を取得するために、音量値の送信を依頼する依頼データをＵＳＢコントローラ１８を介してオーディオ機器２に供給し、そして、オーディオ機器２から送られた音量値をＵＳＢコントローラ１８を介して受信する。
更に、ＣＰＵ１４は、オーディオ機器２の音量値を調節するために、音量値の変更を指示する指示データをＵＳＢコントローラ１８を介してオーディオ機器２に供給する。
【００２６】
グラフィックコントローラ１５は、ＣＰＵ１４に制御され、ディスプレイ１６に表示するための文字や画像等の基となる表示用データを生成する。グラフィックコントローラ１５は、生成した表示用データをディスプレイ１６に供給する。
【００２７】
ディスプレイ１６は、ＣＲＴ（Cathode Ray Tube）やＬＣＤ（Liquid Crystal Display）等からなり、グラフィックコントローラ１５から供給された表示用データに従って文字や画像等を表示する。
【００２８】
ＵＳＢ端子１７は、所定形状のコネクタ等からなり、ＵＳＢケーブル３の一端と着脱自在に接合する。
【００２９】
ＵＳＢコントローラ１８は、ＵＳＢ規格に従った通信を制御するコントローラであり、ＣＰＵ１４に制御され、生成したオーディオデータ（アイソクロナス転送のフレーム等）をＵＳＢケーブル３等を介してオーディオ機器２に供給する。
【００３０】
一方、オーディオ機器２は、ＵＳＢ端子２１と、マイコン２２と、ＤＡＣ２３と、電子ボリューム２４と、アンプ回路２５と、スピーカ２６とを含んで構成される。
【００３１】
ＵＳＢ端子２１は、所定形状のコネクタ等からなり、ＵＳＢケーブル３の一端と着脱自在に接合する。
【００３２】
マイコン２２は、ＣＰＵ、ＲＯＭ及びＲＡＭ等を含んで構成され、オーディオ機器２全体を制御する。
すなわち、マイコン２２は、ＵＳＢケーブル３を介してホスト機器１から供給されたオーディオデータ等を受信し、受信したオーディオデータをＤＡＣ２３に供給する。
また、マイコン２２は、ＵＳＢケーブル３を介してホスト機器１から供給された依頼データ等に従って、電子ボリューム２４に現在設定されている音量値を取得し、この音量値を示す情報をＵＳＢケーブル３を介してホスト機器１に送信する。
更に、マイコン２２は、ＵＳＢケーブル３を介してホスト機器１から供給された指示データ等に従って、電子ボリューム２４の音量値の設定を変更する。
【００３３】
ＤＡＣ（デジタル／アナログコンバータ）２３は、マイコン２２から送られたオーディオデータ（デジタルデータ）をアナログ信号に変換し、変換したオーディオ信号（アナログ信号）を電子ボリューム２４に供給する。
【００３４】
電子ボリューム２４は、マイコン２２に制御され、設定された音量値に従って、ＤＡＣ２３から供給されたオーディオ信号を増幅又は減衰させる。電子ボリューム２４は、増幅等したオーディオ信号をアンプ回路２５に供給する。
【００３５】
アンプ回路２５は、電子ボリューム２４を介してＤＡＣ２３から供給されたオーディオ信号を適宜増幅して、スピーカ２６に供給する。
【００３６】
スピーカ２６は、アンプ回路２５を介して供給されたオーディオ信号に従って、所定の音声（楽曲音等）を発する。
【００３７】
以下、この発明の実施の形態に係るオーディオシステムの動作について、図２を参照して説明する。
図２は、ホスト機器１にてＣＰＵ１４が実行するオーディオデータ出力処理及び、オーディオ機器２にてマイコン２２が実行する楽曲音出力処理を説明するためのフローチャートである。
このオーディオデータ出力処理及び楽曲音出力処理は、ホスト機器１及びオーディオ機器２がＵＳＢケーブル３を介して接続された後に、ホスト機器１にて所定のオーディオアプリケーションが起動された後に開始される。
【００３８】
まず、ホスト機器１のＣＰＵ１４は、任意の楽曲データの再生指示を取得する（ステップＳ１１）。例えば、ＣＰＵ１４は、再生対象となる楽曲データの一覧等をグラフィックコントローラ１５を介してディスプレイ１６に表示すると共に、キーボード／マウス１３を介して利用者が入力した任意の楽曲データの再生指示を取得する。
【００３９】
ＣＰＵ１４は、自己（ホスト機器１）に設定されている現在の音量値を取得する（ステップＳ１２）。すなわち、ＣＰＵ１４は、メモリ１１に記憶されている音量値を取得する。
【００４０】
ＣＰＵ１４は、取得した音量値が予め最大と定められた値となっているか否かを判別する（ステップＳ１３）。
【００４１】
ＣＰＵ１４は、音量値が最大でないと判別した場合、後述するステップＳ２１に処理を進める。一方、音量値が最大であると判別した場合、ＣＰＵ１４は、オーディオ機器２に現在の音量値の送信を依頼する（ステップＳ１４）。すなわち、ＣＰＵ１４は、音量値の送信を依頼するための依頼データをＵＳＢコントローラ１８を介してオーディオ機器２に供給する。
【００４２】
一方、オーディオ機器２のマイコン２２は、依頼データを受信したか否かを判別し（ステップＳ３１）、依頼データを受信したと判別した場合に、自己（オーディオ機器２）に設定されている現在の音量値を取得する（ステップＳ３２）。すなわち、マイコン２２は、電子ボリューム２４にて現在設定されている音量値を電子ボリューム２４から取得する。
なお、ステップＳ３１にて依頼データを受信していないと判別した場合に、マイコン２２は、後述するステップＳ３６に処理を進める。
【００４３】
音量値を取得すると、マイコン２２は、音量値を示す情報をＵＳＢケーブル３を介してホスト機器１に送信する（ステップＳ３３）。
【００４４】
オーディオ機器２から音量値が送られると、ＣＰＵ１４は、送信された音量値を取得し（ステップＳ１５）、取得したオーディオ機器２の音量値が一定値以上であるか否かを判別する（ステップＳ１６）。
【００４５】
ＣＰＵ１４は、音量値が一定値以上でないと判別した場合、後述するステップＳ２１に処理を進める。一方、音量値が一定値以上であると判別した場合、ＣＰＵ１４は、グラフィックコントローラ１５を介して所定の警告メッセージ及び、確認ダイアログをディスプレイ１６に表示する（ステップＳ１７）。例えば、ＣＰＵ１４は、「オーディオ機器にて出力されるサウンドのボリュームが大きすぎます。」といった警告メッセージ及び、「このまま、出力しますか？＜はい，いいえ＞」等の確認ダイアログをディスプレイ１６に表示する。
【００４６】
ＣＰＵ１４は、確認入力がなされたか否かを判別する（ステップＳ１８）。すなわち、ＣＰＵ１４は、ディスプレイ１６に表示された確認ダイアログにてこのまま出力する旨がキーボード／マウス１３を介して確認されたか否かを判別する。
【００４７】
ＣＰＵ１４は、確認入力がなされたと判別した場合、後述するステップＳ２１に処理を進める。一方、確認入力がなされていないと判別した場合、ＣＰＵ１４は、確認ダイアログの表示から一定時間が経過したかを判別する（ステップＳ１９）。
【００４８】
ＣＰＵ１４は、一定時間が経過していないと判別した場合、ステップＳ１８に処理を戻し、再度、確認入力の有無を判別する。一方、一定時間が経過したと判別した場合、ＣＰＵ１４は、オーディオ機器２に初期値への音量値の変更を指示する（ステップＳ２０）。すなわち、ＣＰＵ１４は、音量値の変更を指示するための指示データをＵＳＢコントローラ１８を介してオーディオ機器２に供給する。
【００４９】
ホスト機器１から指示データが送られると、マイコン２２は、指示データを受信したことを判別し（ステップＳ３４）、電子ボリューム２４を制御して、音量値を初期値に変更する（ステップＳ３５）。なお、ステップＳ３４にて指示データを受信していないと判別した場合、マイコン２２は、後述するステップＳ３６に処理を進める。
【００５０】
ＣＰＵ１４は、オーディオ機器２に指示データを送信した後に、現在自己に設定されている音量値にて楽曲データを再生し、再生により得られたオーディオデータをオーディオ機器２に供給する（ステップＳ２１）。
【００５１】
ホスト機器１からオーディオデータが送られると、マイコン２２は、オーディオデータを受信したことを判別し（ステップＳ３６）、受信したオーディオデータをオーディオ信号に変換した後に、スピーカ２６等を介して楽曲音として出力する（ステップＳ３７）。この際、マイコン２２は、電子ボリューム２４に現在設定されている音量値に従った楽曲音を出力する。
なお、ステップＳ３６にてオーディオデータを受信していないと判別した場合、マイコン２２は、ステップＳ３１に処理を戻し、上述のステップＳ３１〜Ｓ３６の処理を繰り返し実行する。
【００５２】
このように、ホスト機器１にて、自己の設定音量値及びオーディオ機器２の設定音量値が適切であるか否かが判別され、このままオーディオデータをオーディオ機器２に供給しても、オーディオ機器２にて大音量の楽曲音が出力されないことが確認される。
この際、双方の設定音量値が不適切で、大音量の楽曲音が出力されてしまうと判別すると、ホスト機器１は、このまま出力するか否かを確認する確認ダイアログをディスプレイ１６に表示する。そして、利用者の確認が得られなかった場合に、利用者の意図しない大音量の楽曲音を出力しないために、ホスト機器１は、音量値を初期値（十分小さい音量）に変更すべきことをオーディオ機器２に指示する。
この結果、オーディオ機器から出力される楽曲音の音量を適切に調節することができる。
【００５３】
上記の実施の形態では、大音量の楽曲音を出力しないために、オーディオ機器２側の音量値を変更したが、ホスト機器１側の音量値を変更してもよい。また、ホスト機器１及びオーディオ機器２双方の音量値を変更してもよい。
【００５４】
また、ホスト機器１側が、自己の設定音量値及びオーディオ機器２の設定音量値を取得して、オーディオ機器２の音量値等を変更したが、逆に、オーディオ機器２側が、自己の設定音量値及びホスト機器１の設定音量値を取得して、自己の音量値等を変更してもよい。
【００５５】
また、上記の実施の形態では、ホスト機器１及びオーディオ機器２がＵＳＢインタフェースを介して接続されたオーディオシステムについて説明したが、ホスト機器１及びオーディオ機器２を接続するインタフェースは、ＵＳＢに限られず任意である。例えば、ＩＥＥＥ１３９４等のようなインタフェースであってもよい。
【００５６】
【発明の効果】
以上説明したように、本発明によれば、オーディオ機器にて出力される楽曲音の音量を適切に調節することができる。
【図面の簡単な説明】
【図１】本発明の実施の形態に係るオーディオシステムの構成の一例を示すブロック図である。
【図２】本発明の実施の形態に係るオーディオデータ出力処理及び、楽曲音出力処理を説明するためのフローチャートである。
【図３】従来のオーディオシステムの構成の一例を示す模式図である。
【図４】従来のオーディオシステムにおけるホスト機器等にて実行される楽曲データ再生処理を説明するためのフローチャートである。
【符号の説明】
１    ホスト機器
２    オーディオ機器
３    ＵＳＢケーブル
１１  メモリ
１２  ハードディスク
１３  キーボード／マウス
１４  ＣＰＵ
１５  グラフィックコントローラ
１６  ディスプレイ
１７  ＵＳＢ端子
１８  ＵＳＢコントローラ
２１  ＵＳＢ端子
２２  マイコン
２３  ＤＡＣ
２４  電子ボリューム
２５  アンプ回路
２６  スピーカ
【図１】
0003931028.tif 000002
【図２】
0003931028.tif 000003
【図３】
0003931028.tif 000004
【図４】
0003931028.tif 000005